(57)【特許請求の範囲】
【請求項１】
カメラ本体内に収納される沈胴位置と、カメラ本体から前方に繰り出される第１の撮影位置と、この第１の撮影位置よりも更に前方に繰り出される第２の撮影位置との間で移動自在とされたレンズ鏡筒と、
カメラ本体内に収納される収納位置と、カメラ本体外に露呈される発光位置との間で移動自在とされたストロボ発光部と、
レンズ鏡筒とストロボ発光部との移動に用いられる駆動源とを備えたストロボ内蔵カメラにおいて、
前記レンズ鏡筒の外周に回転自在に取り付けられ、駆動源によって回転されるリングギヤと、
レンズ鏡筒が沈胴位置と第１の撮影位置との間で移動する期間だけリングギヤに連動して回転する連動リングと、
連動リングの回転をストロボ発光部に伝達して、該ストロボ発光部を収納位置と発光位置との間で移動させるリンク機構とを設けたことを特徴とするストロボ内蔵カメラ。
【請求項２】
前記リングギヤに一対の押圧部を、前記連動リングに一対の被押圧部をそれぞれ設け、各押圧部で各被押圧部をそれぞれ押圧して、リングギヤに連動リングを偶力で連動させることを特徴とする請求項１記載のストロボ内蔵カメラ。
【請求項３】
前記押圧部の一方とこれに対応する一方の被押圧部とは、他方の押圧部及びこれに対応する被押圧部に対して、半径方向で異なる位置に配置されていることを特徴とする請求項２記載のストロボ内蔵カメラ。
【請求項４】
前記リンク機構は、連動リングに連動して回転する第１の回転レバーと、
この第１の回転レバーに連動して回転してストロボ発光部を収納位置と発光位置との間で移動させる第２の回転レバーと、
第１の回転レバーと第２の回転レバーとを連結して連動させる弾性部材とを含み、
該弾性部材によって、ストロボ発光部を収納位置に付勢し、かつ駆動源によらないストロボ発光部の移動が第１の回転レバーに伝わらないように吸収することを特徴とする請求項１ないし３いずれか記載のストロボ内蔵カメラ。
【請求項５】
前記ストロボ発光部に、前記第２の回転レバーと当接して連動する連動突起を設け、この連動突起によってストロボ発光部を発光位置で停止させ、かつストロボ発光部の位置を検出するスイッチのオン／オフを切り換えることを特徴とする請求項４記載のストロボ内蔵カメラ。
【発明の詳細な説明】
【０００１】
【発明の属する技術分野】
本発明は、ストロボ内蔵カメラに関し、更に詳しくは、レンズ鏡筒の沈胴及び繰り出しによってカメラ本体に出入りするストロボ発光部を備えたストロボ内蔵カメラに関するものである。
【０００２】
【従来の技術】
手軽に夜間撮影や逆光撮影が行えるように、ストロボが内蔵されているカメラが普及している。また、ストロボ発光部の保護や赤目現象の対策のために、カメラの不使用時にはストロボ発光部をカメラ本体内の収納位置に移動させ、撮影時にはストロボ発光部をカメラ本体から突出される発光位置に移動させるようにしたカメラもある（例えば、特許文献１参照）。
【０００３】
ストロボ発光部を収納位置と発光位置との間で移動させる方法として、ストロボ発光部を回転させることが行なわれている。ストロボ発光部が回転されるカメラでは、ストロボ発光部の収納位置と発光位置との間の回転量を小さくするために、発光面から離れた端部に回転中心が設けられている。また、故障等によってストロボ発光部が発光位置に移動しなくなることを考慮して、ストロボ発光部は発光位置に向けてバネ付勢されている。更に、ユーザーによってストロボ発光部が強制的に動かされる可能性があるため、この時のストロボ発光部の移動を吸収するバネ機構が設けられている。
【０００４】
また、ストロボ発光部が収納位置にあるときにストロボ発光を行なわないようにすることも通常行なわれている（例えば、特許文献２参照）。このストロボ発光の切り換えは、ストロボ発光部の位置をスイッチによって検出することで行なう。更に、ストロボ発光部が適切な発光位置で停止されることも重要であるため、ストロボ発光部に設けたストッパー等をカメラ本体に当接させて停止することも通常行なわれている。
【０００５】
ストロボ発光部を移動させる駆動源として、レンズ鏡筒を沈胴及び繰り出しする駆動力を利用したカメラがある（例えば、特許文献３参照）。このカメラでは、電源が投入されてレンズ鏡筒が沈胴位置から繰り出されると、これに連動してストロボ発光部が収納位置から発光位置に移動する。また、カメラの電源が切られてレンズ鏡筒が沈胴されると、ストロボ発光部が発光位置から収納位置に移動する。更に、ズームレンズを備えたカメラでは、レンズ鏡筒が沈胴位置と電源投入時の初期位置となるワイド端位置との間にある区間だけ、駆動源とストロボ発光部とを連係させ、レンズ鏡筒がワイド端位置からテレ端位置にある間は、駆動源とストロボ発光部とのリンクを断ち切るようにしている。
【０００６】
【特許文献１】
特開２０００−３３０１６８号公報
【特許文献２】
特開２００１−１６６３６２号公報
【特許文献３】
特開２０００−３４７２５０号公報
【０００７】
【発明が解決しようとする課題】
小型化の進む最近のカメラ、特にワイド系のズームを備えたカメラでは、レンズ鏡筒のワイド端位置からテレ端位置までのストローク（非連動域）に対し、沈胴位置からワイド端位置へのストローク（連動域）が極端に短くなっている。そのため、ストロボ発光部を移動させるための動力として、レンズ鏡筒の連動域を使用することが難しくなるという問題があった。
【０００８】
また、ストロボ発光部は重量があり、移動ストロークも大きい。更に、前述したバネ機構の負荷やストロークも加算される。そのため、ストロボ発光部を移動させる機構には、大きな駆動力や移動ストロークが必要となる。ストロボ発光部を移動する機構の駆動力を大きくするために、駆動源を大きくすることが考えられる。しかし、駆動源を大きくするとカメラが大型化してしまう。
【０００９】
また、駆動源からの減速率を大きくすることで駆動力を大きくすることも考えられる。しかし、レンズ鏡筒とストロボ発光部との連動を実現するために、レンズ鏡筒の全ストロークで１回転しない回転体、若しくはレンズ鏡筒の全ストロークで終端まで達しない直動体が必要となるが、減速率を大きくすると回転体若しくは直動体の非連動域も大きくなり、カメラに収まらなくなってしまう。
【００１０】
更に、回転移動するストロボ発光部では、レンズ鏡筒と連動するためのインターフェースと、発光位置で位置決めするためのストッパーと、ストロボ発光部の位置を検出するスイッチを作動させるインターフェースとが必要となるが、これらは、ストロボ発光部の回転中心から離れた位置に設けないと適正な精度を得ることができない。しかし、３つの機能部品をストロボ発光部の回転中心から離れた位置に設けると、ストロボ発光部の回転に必要なスペースが大きくなり、カメラの小型化を阻害することがあった。
【００１１】
本発明は、上記各問題点を解決するためのもので、レンズ鏡筒の少ない連動域でストロボ発光部を移動させることができ、かつ大きな駆動力と、連動精度，位置決め精度，位置検出精度を得ることのできるストロボ内蔵カメラを提供することを目的とする。
【００１２】
【課題を解決するための手段】
上記問題点を解決するために、本発明のストロボ内蔵カメラは、レンズ鏡筒の外周に回転自在に取り付けられ、駆動源によって回転されるリングギヤと、レンズ鏡筒が沈胴位置と第１の撮影位置との間で移動する期間だけリングギヤに連動して回転する連動リングと、連動リングの回転をストロボ発光部に伝達して、該ストロボ発光部を収納位置と発光位置との間で移動させるリンク機構とを設けたものである。これによれば、レンズ鏡筒の外周というデッドスペースを効率よく使用することによって、レンズ鏡筒とストロボ発光部と連係させる機構をコンパクトに組み込むことができる。また、大径のリングギヤを使用することにより、減速比を大きくし、かつレンズ鏡筒の移動に１回転以内で連動させることができる。
【００１３】
また、リングギヤに一対の押圧部を、前記連動リングに一対の被押圧部をそれぞれ設け、各押圧部で各被押圧部をそれぞれ押圧して、偶力により連動リングをリングギヤに連動させるようにしたので、リングギヤと連動リングとの連動を安定させ、より確実なものにすることができる。
【００１４】
更に、押圧部の一方とこれに対応する一方の被押圧部とを、他方の押圧部及びこれに対応する被押圧部に対して半径方向で異なる位置に配置したので、リングギヤと連動ギヤとを偶力で連動させても、リングギヤと連動リングとの非連動域を大きくすることができる。
【００１５】
また、連動リングとストロボ発光部とを連係するリンク機構は、連動リングに連動して回転する第１の回転レバーと、この第１の回転レバーに連動して回転してストロボ発光部を収納位置と発光位置との間で移動させる第２の回転レバーと、第１の回転レバーと第２の回転レバーとを連結して連動させる弾性部材とから構成したものである。これによれば、ストロボ発光部を収納位置に付勢し、かつ駆動源によらないストロボ発光部の移動が第１の回転レバーに伝わらないように吸収することができる。
【００１６】
また、ストロボ発光部に第２の回転レバーと連動するために当接する連動突起を設け、この連動突起によってストロボ発光部を発光位置で停止させ、かつストロボ発光部の位置を検出するスイッチのオン／オフを切り換えるようにしたものである。これにより、一つの連動突起で複数の機能を実施することができるので、ストロボ発光部のサイズと、このストロボ発光部の移動スペースとを小さくすることができる。
【００１７】
【発明の実施の形態】
図１（Ａ），（Ｂ）は、本発明を実施したカメラの外観形状を示す斜視図である。カメラ２は、１３５タイプのフイルムパトローネを使用するコンパクトカメラであり、撮影機構を構成する多数の部品が組み込まれた本体基部４（図２参照）と、この本体基部４の前面と背面とに被せられる前カバー５及び後カバー６とから構成されている。このカメラ２は、構成部品のほとんどがプラスチックで形成されており、強度や導電性が必要な部分に金属部品が使用されている。
【００１８】
カメラ２の前面中央には、ズーム光学系を構成する撮影レンズ８とシャッタ及び絞りとが組み込まれたレンズ鏡筒９が設けられている。このレンズ鏡筒９は、カメラ２内に収納される沈胴位置と、カメラ２の電源がオンした時に沈胴位置から前方に繰り出されるワイド端位置と、このワイド端位置から更に前方に繰り出されるテレ端位置との間で移動する。
【００１９】
レンズ鏡筒９の上部には対物側ファインダ窓１１が設けられ、その周囲には、測距用透光窓，測距用受光窓，測光窓，セルフタイマー用発光窓等が配置されている。また、カメラ２の上側の前面角部には、ストロボ発光部１２が組み込まれている。このストロボ発光部１２は、発光面１３をカメラ２内に収納する収納位置と、発光面１３が正面を向くように突出される発光位置との間で回動自在とされている。
【００２０】
カメラ２の上面には、シャッタボタン１５が設けられている。詳しくは図示しないが、カメラ２の背面には、接眼側ファインダ窓と、レンズ鏡筒９をワイド端とテレ端の間で沈胴及び繰り出しさせるズームボタンとが設けられている。
【００２１】
前カバー５の前面には、レンズ鏡筒９を隠す不使用位置とレンズ鏡筒９を露呈させる撮影位置との間で左右方向にスライド自在とされたスライドカバー１９が取り付けられている。また、後カバー６には、パトローネが収納されるパトローネ室と、パトローネから引き出した写真フイルムを巻き取るフイルムロール室とを開閉する裏蓋と、電池室を開閉する電池蓋とが取り付けられている。
【００２２】
図２は、本体基部４と前カバー５とスライドカバー１９との分解状態を示す斜視図である。前カバー５の前面には、レンズ鏡筒９を挿通させるための円形の開口５ａと、ストロボ発光部１２を組み込むための切欠５ｂとが形成されている。また、前カバー５の前面上下部には、スライドカバー１９の上下端縁に形成された突起１９ａがスライド自在に嵌合されるレール溝５ｃが形成されている。
【００２３】
本体基部４の前面には、本体基部４に組み込まれた各種部品を押さえるカバープレート２１が取り付けられている。カバープレート２１には、カメラ２の電源スイッチ２２と、この電源スイッチ２２とスライドカバー１９とを連動させるスイッチレバー２３と、スライドカバー１９のスライドを規制するストッパー２４とが取り付けられている。
【００２４】
電源スイッチ２２は、側面から突出された押圧子２２ｂが本体２２ａ内に押し込まれることでオン／オフが切り換えられる押圧式スイッチである。スイッチレバー２３は、電源スイッチ２２の近傍に設けられたピン２６に回転自在に取り付けられている。スイッチレバー２３は、カバープレート２１に形成された開口２１ａに挿入されて押圧子２２ｂを押圧又は押圧解除するスイッチングアーム２３ａと、前カバー５の前面に形成された長穴５ｄに挿通されてスライドカバー１９の裏面に形成された水平方向のリンク溝２８に挿入されるリンクピン２３ｂを備えたリンクアーム２３ｃとからなる。リンク溝２８は、スライドカバー１９の端縁近傍で下方に屈曲されている。
【００２５】
スイッチレバー２３のリンクピン２３ｂは、スライドカバー１９が不使用位置にある時、または不使用位置から撮影位置に到達する直前まで、リンク溝２８の水平部分に収まっている。リンクピン２３ｂが水平部分にある間は、スイッチングアーム２３ａは電源スイッチ２２の押圧子２２ｂを押圧しないため、カメラ２の電源はオフとなる。スライドカバー１９が撮影位置にスライドされると、リンクピン２３ｂがリンク溝２８の屈曲部に沿って移動し、スイッチレバー２３が時計方向に回動する。この回動時にスイッチングアーム２３ａで電源スイッチ２２の押圧子２２ｂが押圧され、カメラ２の電源がオンする。
【００２６】
図３及び図４（Ａ）は、ストッパー２４の構成を示す分解斜視図、及びスライドカバー１９が撮影位置にある際の要部断面図である。ストッパー２４は、プラスチックで形成されたストッパー本体３０と、金属製の回転軸３１及び捩じりバネ３２とから構成されている。ストッパー本体３０は、先端部３０ａがカメラの前方に向かって鋭角にされ、後端部３０ｂがカメラ前面に平行な平面とされた略楔形状をしている。ストッパー本体３０の一方の面は垂直面とされており、この垂直面側には回転軸３１が挿入される略円柱形状の挿通部３０ｃが一体に設けられている。捩じりバネ３２は、挿通部３０ｃの略中央部分に形成された切欠３０ｄ内に組み込まれ、回転軸３１が挿入されることによって挿通部３０ｃ内に位置決めされる。
【００２７】
カバープレート２１には、ストッパー本体３０の先端部３０ａが挿入される開口２１ｂと、挿通部３０ｃの両端面から突出した回転軸３１の両端を受ける一対の軸受部２１ｃと、ストッパー本体３０がカバープレート２１から外れないように挿通部３０ｃの背後を支持する支持片２１ｄとが設けられている。また、本体基部４の前面には、回転軸３１の両端を背後から支持する一対の支持突起４ａが一体に形成されている。
【００２８】
ストッパー本体３０の先端部３０ａは、前カバー５に形成された開口５ｅに挿通されてスライドカバー１９の裏面に当接する。スライドカバー１９の裏面で、該スライドカバー１９が撮影位置にある時にストッパー本体３０に対面する位置には、ストッパー本体３０の先端部３０ａが挿入されるロック穴１９ｂが形成されている。ストッパー本体３０は、先端部３０ａが前カバー５の前面から突出されるロック位置と、図５に示すように、先端部３０ａが前カバー５内に押し込まれる解除位置との間で回動自在とされ、捩じりバネ３２によってロック位置に付勢されている。
【００２９】
ストッパー本体３０の背後には、本体基部４とストッパー本体３０の後端部３０ｂとの間に挿脱されるロック片３４が配置されている。図４（Ａ）のＡ−Ａ断面図である図６に示すように、ロック片３４はレンズ鏡筒９が繰り出されている間、後端部３０ｂに当接してストッパー本体３０の解除位置への回動を阻止する。そのため、図７（Ａ）に示すように、レンズ鏡筒９が繰り出されている時にスライドカバー１９を不使用位置にスライドすると、ストッパー本体３０の先端部３０ａとロック穴１９ｂとが係合し、スライドカバー１９のそれ以上のスライドが阻止される。また、レンズ鏡筒９が完全に沈胴されると、図７のＣ−Ｃ断面図である図８に示すように、ロック片３４はストッパー本体３０の背後から退避し、ストッパー本体３０の解除位置への回動を許容する。
【００３０】
ストッパー本体３０の一方の側面とロック片３４の一方の側面とには、それぞれ傾斜面３０ｅ，３４ａが形成されている。図５のＢ−Ｂ断面図である図９に示すように、ストッパー本体３０が解除位置に回動すると、ストッパー本体３０の傾斜面３０ｅがロック片３４の傾斜面３４ａを押圧して、ロック片３４をストッパー本体３０から離れる方向に移動させる。なお、ストッパー本体３０に設けられている突起３０ｆは、ストッパー本体３０を大型化することなく、ストッパー本体３０とロック片３４との当接状態を安定させるために設けられている。
【００３１】
図１０は、カバープレート２１を取り外した本体基部４の状態を示す分解斜視図である。本体基部４の前面中央にはレンズ鏡筒９が組み込まれる固定筒４ｂが設けられ、その両側方にはパトローネ室４ｃとフイルムロール室４ｄとが設けられている。固定筒４ｂの中には、レンズ鏡筒９を沈胴及び繰り出しさせる駆動ギヤ３６が組み込まれている。この駆動ギヤ３６は、固定筒４ｂの側方に配置された複数枚のギヤにより、本体基部４の前面上部に取り付けられたモータ３７の回転が伝達されることによって駆動される。
【００３２】
モータ３７の回転をストロボ発光部１２まで伝達するために、リングギヤ３９，連動リング４０，引っ張りバネ４１，正面回転レバー４２，上面回転レバー４３，リンクバネ４４が設けられている。連動リング４０とリングギヤ３９とは、固定筒４ｂの外周で回転可能な内径を有しており、順に固定筒４ｂの外周に組み付けられる。固定筒４ｂの外周には、連動リング４０を光軸方向で受けるための凹部４ｋが形成されている。
【００３３】
リングギヤ３９は、その外周にギヤ４９に噛合する歯列３９ａが形成されている。これにより、レンズ鏡筒９の沈胴及び繰り出しのためにモータ３７が回転するとリングギヤ３９が一緒に回転する。リングギヤ３９の背面には、半径方向の位置が異なっている一対の押圧突起３９ｂ，３９ｃが回転対称の位置に形成されている。
【００３４】
図１１〜１３に示すように、連動リング４０の前面には、リングギヤ３９の押圧突起３９ｂ，３９ｃが当接する一対の被押圧突起４０ｂ，４０ｃが回転対称の位置に形成されている。これらの被押圧突起４０ｂ，４０ｃは突条形状であり、各押圧突起３９ｂ，３９ｃに合わせて半径方向の位置が異なっている。
【００３５】
連動リング４０の外周には、引っ張りバネ４１が掛けられるバネ掛けピン４０ａと、正面回転レバー４２に当接する当接部４０ｄと、前述のロック片３４とが一体に設けられている。引っ張りバネ４１の他端は、本体基部４の前面に形成されたピン４ｅに掛けられ、連動リング４０を図中時計方向に付勢する。本体基部４の前面には、バネ掛けピン４０ａに当接して連動リング４０の時計方向への回転量を規制する規制片４ｆが設けられている。
【００３６】
正面回転レバー４２は、略Ｌ字形状をした板状レバー部材であり、本体基部４の前面に突設されたピン４ｇに回動自在に取り付けられている。正面回転レバー４２には、連動リング４０の当接部４０ｄに当接するリンクアーム４２ａと、上面回転レバー４３と当接する連接部４２ｂと、リンクバネ４４の一端が掛けられるバネ掛け部４２ｃとが一体に形成されている。本体基部４の前面には、リンクアーム４２ａに当接して正面回転レバー４２の回転量を規制する一対の規制ピン４ｈが立設されている。
【００３７】
上面回転レバー４３は、略Ｌ字形状をしており、本体基部４の上面に突設されたピン４ｊに回動自在に取り付けられる。上面回転レバー４３には、本体基部４の前面側に配置されて正面回転レバー４２の連接部４２ｂに当接する連接突起４３ａと、リンクバネ４４の他端が掛けられるバネ掛け部４３ｂと、ストロボ発光部１２を収納位置と発光位置との間で回動させるストロボ作動アーム４３ｃとが一体に形成されている。
【００３８】
正面回転レバー４２及び上面回転レバー４３は、リンクバネ４４の付勢力によって、それぞれ反時計方向及び時計方向に付勢される。そのため、正面回転レバー４２及び上面回転レバー４３に何ら負荷がかかっていない時には、正面回転レバー４２及び上面回転レバー４３はそれぞれ反時計方向及び時計方向に回転し、連接部４２ｂと連接突起４３ａとが当接する。
【００３９】
ストロボ発光部１２は、上面回転レバー４３の回動を阻害せずに本体基部４の上部に取り付けられるストロボ地板４６と、このストロボ地板４６に取り付けられる検出スイッチ４７と、ストロボ地板４６に回動自在に取り付けられる発光ユニット４８とからなる。ストロボ地板４６には、発光ユニット４８を回動自在に支持する一対の軸受部４６ａと、発光ユニット４８を発光位置で停止させる位置決め部４６ｂとが一体に形成されている。
【００４０】
検出スイッチ４７は、ストロボ回路に接続された一対の金属接片４７ａ，４７ｂと、これらの金属接片４７ａ，４７ｂが接触しないように保持するプラスチック製のホルダ４７ｃとからなる。この検出スイッチ４７は、ホルダ４７ｃに形成された穴４７ｄに、ストロボ地板４６の上面に設けられたピン４６ｃが挿入されて固定される。ストロボ回路は、検出スイッチ４７の両金属接片４７ａ，４７ｂが接触して閉じられた時にストロボ発光を行なう。
【００４１】
発光ユニット４８は、前面に形成された開口５０ａに対面するようにストロボ放電管と反射板とを収納し、該開口５０ａに拡散レンズ５１を嵌め込んだ放電管収納部材５０と、この放電管収納部材５０の上部に取り付けられ、発光ユニット４８が収納位置に回動された時に前カバー５の一部を構成するカバー部材５２と、金属製の回転軸５３及び捩じりバネ５４とからなる。回転軸５３は、ストロボ地板４６の軸受部４６ａとカバー部材５２の軸穴とに挿通され、ストロボ地板４６に対して回動自在となるように発光ユニット４８をストロボ地板４６に取り付ける。捩じりバネ５４は、カバー部材５２と放電管収納部材５０との間に組み込まれ、発光ユニット４８を発光位置に向けて付勢する。
【００４２】
図１４及び１５に示すように、カバー部材５２には、上面回転レバー４３のストロボ作動アーム４３ｃに当接する連動突起５２ａが一体に設けられている。この連動突起５２ａは、発光ユニット４８が発光位置に回動した時にストロボ地板４６の位置決め部４６ｂに当接して、発光ユニット４８を発光位置で停止させる。また、連動突起５２ａは、発光ユニット４８が発光位置に回動した際に、検出スイッチ４７の一方の金属接片４７ａを押圧して弾性変形させ、他方の金属接片４７ｂに接触させる。
【００４３】
次に、上記実施形態の作用について説明する。図１（Ａ）に示すように、カメラ２の不使用時には、スライドカバー１９が不使用位置にスライドされてレンズ鏡筒９を隠している。図２及び図７（Ｂ）に示すように、カメラ２の不使用状態では、スライドカバー１９のリンク溝２８の水平部内にスイッチレバー２３のリンクピン２３ｂが位置しているため、電源スイッチ２２はオフ状態が維持される。
【００４４】
図５及び図９に示すように、電源オフ時にスライドカバー１９の裏面に押されて解除位置に回動しているストッパー本体３０は、傾斜面３０ｅでロック片３４の傾斜面３４ａを押圧して、連動リング４０を図１１中の反時計方向に回動させている。図１１に示すように、連動リング４０の当接部４０ｄは、リンクアーム４２ａを押圧し、正面回転レバー４２を時計方向に回動させている。
【００４５】
正面回転レバー４２は、リンクバネ４４を介して上面回転レバー４３を引っ張り、図１０中において上面回転レバー４３を反時計方向に回動させる。図１４に示すように、上面回転レバー４３は、ストロボ作動アーム４３ｃで連動突起５２ａを反時計方向に押圧し、発光ユニット４８を収納位置に回動させている。
【００４６】
この電源オフ状態では、正面回転レバー４２が上面回転レバー４３から離れてリンクバネ４４がオーバーチャージされるので、発光ユニット４８は確実に収納位置に保持される。また、ストッパー本体３０が連動リング４０を回動させることにより押圧突起３９ｂ，３９ｃと被押圧突起４０ｂ，４０ｃとが離れ、連動リング４０とリングギヤ３９との連係が解除されるので、引っ張りバネ４１やリンクバネ４４，捩じりバネ５４等の負荷がギヤに長時間かかることはない。これにより、ギヤの歯がクリープ変形するのを防止することができる。
【００４７】
図１（Ｂ）に示すように、スライドカバー１９を撮影位置に向けてスライドすると、図４（Ｂ）に示すように、リンクピン２３ｂがリンク溝２８の屈曲部に移動し、スイッチレバー２３が図２中において時計方向に回動する。これにより、スイッチングアーム２３ａが電源スイッチ２２の押圧子２２ｂを押圧し、カメラ２の電源がオンする。また、図４（Ａ）に示すように、ストッパー本体３０は、ロック位置に回動して先端部３０ａをスライドカバー１９のロック穴１９ｂに挿入する。
【００４８】
ストッパー本体３０がロック位置に回動すると、図１２に示すように、連動リング４０は、引っ張りバネ４１の付勢力により、図１３中において時計方向に回動し、被押圧突起４０ｂ，４０ｃをリングギヤ３９の押圧突起３９ｂ，３９ｃに当接させる。
【００４９】
カメラ２の電源オンとともに、モータ３７がレンズ鏡筒９を繰り出す方向に回転する。モータ３７の回転は、複数枚のギヤを介して駆動ギヤ３６に伝達され、レンズ鏡筒９がカメラ２の前方に繰り出される。また、モータ３７の回転は、ギヤ４９によってリングギヤ３９に伝達され、リングギヤ３９は時計方向に回動される。リングギヤ３９の時計方向への回動に伴い、押圧突起３９ｂ，３９ｃによる被押圧突起４０ｂ，４０ｃへの押圧が解除されるので、連動リング４０は引っ張りバネ４１の付勢によって更に時計方向に回動する。
【００５０】
図１３に示すように、バネ掛けピン４０ａが規制片４ｆに当接する位置まで回動すると、図４（Ａ）及び図６に示すように、ロック片３４が本体基部４とストッパー本体３０との間に入り込み、ストッパー本体３０の解除位置への回動を阻止する。これにより、スライドカバー１９が撮影位置でロックされる。
【００５１】
また、連動リング４０の当接部４０ｄによる正面回転レバー４２の押圧が解除されるため、正面回転レバー４２及び上面回転レバー４３は、リンクバネ４４の付勢によって反時計方向及び時計方向に回動する。これにより、ストロボ作動アーム４３ｃによる連動突起５２ａの押圧が解除されるため、図１５に示すように、発光ユニット４８は捩じりバネ５４の付勢力によって発光位置に向けて回動し、連動突起５２ａがストロボ地板４６の位置決め部４６ｂに当接することにより、発光位置に位置決めされる。
【００５２】
また、発光位置に回動した発光ユニット４８の連動突起５２ａは、検出スイッチ４７の一方の金属接片４７ａを押圧して他方の金属接片４７ｂに当接させる。これにより、ストロボ回路が閉じられ、発光ユニット４８が撮影位置にあることが検出される。
【００５３】
このように、発光ユニット４８と上面回転レバー４３との連係と、発光ユニット４８の発光位置での位置決めと、検出スイッチ４７のオン／オフの切り換えとを一つの連動突起５２ａで行なうようにしたので、ストロボ発光部を大型化させることなく、連動突起５２ａの作用部位を発光ユニット４８の回転中心から離れた位置に設けることができる。また、連動突起５２ａの作用部位を発光ユニット４８の回転中心から離れた位置に設けたので、動作精度を向上させることができる。
【００５４】
なお、発光位置にある発光ユニット４８を無理に収納位置に回動させたり、発光ユニット４８を収納位置に押さえつけた状態で電源をオンしても、連動突起５２ａと上面回転レバー４３との連係は断ち切られるので、カメラ２が破損することはない。また、電源オフ状態において発光ユニット４８を無理に発光位置に回動させた時には、上面回転レバー４３の回転はリンクバネ４４によって吸収されて正面回転レバー４２に伝わらないので、やはりカメラ２が破損することはない。
【００５５】
また、レンズ鏡筒９がワイド端からテレ端へと移動される際にもリングギヤ３９は回転するが、リングギヤ３９の大きな直径によって減速比も大きくなっているので、リングギヤ３９の回転量は少なく、リングギヤ３９の押圧突起３９ｂ，３９ｃが被押圧突起４０ｂ，４０ｃの反対側の端面に突き当たることはない。また、押圧突起３９ｂ及び被押圧突起４０ｂと、押圧突起３９ｃ及び被押圧突起４０ｃとは、半径方向において異なる位置に配置されているため、リングギヤ３９と連動リング４０との間を偶力で連係させても、押圧突起３９ｂが被押圧突起４０ｃに突き当たることはない。
【００５６】
適宜撮影を終え、スライドカバー１９を不使用位置にスライドすると、図７（Ａ）に示すように、ストッパー本体３０の先端部３０ａがロック穴１９ｂに係合し、スライドカバー１９のスライドが阻止される。同図（Ｂ）に示すように、スライドカバー１９がストッパー本体３０にロックされている状態では、スイッチレバー２３のリンクピン２３ｂがリンク溝２８の水平部に移動している。これにより、スライドカバー１９がレンズ鏡筒９に干渉しない位置でロックされている間に、カメラ２の電源がオフされてレンズ鏡筒９の沈胴が行なわれる。
【００５７】
スライドカバー１９を不使用位置に向けてスライドする力のほとんどは、ストッパー本体３０の先端部３０ａに掛かるが、先端部３０ａは厚みがあり、長さも短い楔形状であるため、ストッパー本体３０が破損することはない。また。ストッパー本体３０に加えられた力は、連動リング４０のロック片３４にもかかるが、ロック片３４に加えられた力は背後の本体基部４の凹部４ｋが受けとめるため、連動リング４０が破損することはない。更に、ストッパー本体３０の後端部３０ｂとロック片３４の上面とは、共に平滑面としているため、ストッパー本体３０がロック片３４に押し付けられても、連動リング４０の回動が妨げられることはない。
【００５８】
モータ３７の回転は、複数枚のギヤによって駆動ギヤ３６に伝達され、レンズ鏡筒９が沈胴される。また、リングギヤ３９は、ギヤ４９によって反時計方向に回動され、押圧突起３９ｂ，３９ｃに被押圧突起４０ｂ，４０ｃが押圧された連動リング４０も同方向に回動する。その際に、当接部４０ｄが正面回転レバー４２のリンクアーム４２ａを押圧し、正面回転レバー４２を回転方向に回動させる。正面回転レバー４２は、リンクバネ４４を介して上面回転レバー４３を反時計方向に回動させ、ストロボ作動アーム４３ｃで発光ユニット４８の連動突起５２ａを押圧する。これにより、図１４に示すように、発光ユニット４８が収納位置に回動する。
【００５９】
なお、発光ユニット４８の収納は、引っ張りバネ４１，リンクバネ４４，捩じりバネ５４の付勢に抗して行なわなくてはならないため大きな力量が必要となるが、リングギヤ３９によって大きな減速比を得ているため、スムースに回動させることができる。また、レンズ鏡筒９の沈胴位置とワイド端との間の移動によるリングギヤ３９及び連動リング４０の回転量は少ないが、径が大きいため外周部分では大きなストロークを得ることができ、発光ユニット４８を確実に連動させることができる。
【００６０】
また、連動リング４０とストロボ発光部１２との間を連係する二つのレバーをカメラ２の正面と上面とにそれぞれ配置したので、スペース効率がよく、カメラの小型化に寄与することができる。更に、二つのレバーの連係に安価な引っ張りバネを用いたので、トグルバネ等を使用する場合よりも僅かなスペースに組み込むことができ、コストダウンを図ることもできる。
【００６１】
レンズ鏡筒９の沈胴と発光ユニット４８の収納とが完了してモータ３７の回転が停止すると、図８に示すように、ロック片３４はストッパー本体３０の背後から退避し、ストッパー本体３０によるスライドカバー１９のロックが解除される。スライドカバー１９を不使用位置にスライドすると、ストッパー本体３０はスライドカバー１９の裏面に押されて解除位置に回動する。その際に、図９に示すように、傾斜面３０ｅでロック片３４の傾斜面３４ａを押圧し、図１１に示すように連動リング４０を反時計方向に回動させる。これにより、引っ張りバネ４１，リンクバネ４４，捩じりバネ５４の負荷がリングギヤ３９からストッパー本体３０に移る。
【００６２】
なお、上記実施形態は、写真フイルムを使用する銀塩カメラを例に説明したが、本発明は、ストロボを備えたデジタルスチルカメラやデジタルビデオカメラ等にも適用することができる。
【００６３】
【発明の効果】
以上説明したように、本発明のストロボ内蔵カメラによれば、従来のカメラではデッドスペースとなっていたレンズ鏡筒の外周に、駆動源とストロボ発光部とを連係させるリングギヤ及び連動リングを組み込んだので、スペース効率が良くカメラの小型化を阻害することはない。また、大径のリングギヤと連動リングとにより、僅かな回転量でも大きなストロークを得ることができるので、レンズ鏡筒の沈胴位置からワイド端までの移動距離が短くてもストロボ発光部を連動させることができる。
【００６４】
更に、リングギヤと連動リングとの連係を偶力で行なうようにしたので、両者の間で安定した連係を行なうことができる。また、リングギヤと連動リングとの連係を行なう突起を半径方向で異なる位置に配置したので、リングギヤと連動リングとの非連動域を大きくすることができる。
【００６５】
更に、大径のリングギヤによって大きな減速比を得ることができ、ストロボ発光部の移動に必要な大きな駆動力を得ることができる。また、大きな減速比によってリングギヤの回転量が小さくなるので、リングギヤの回転量を１回転以内にすることができる。
【００６６】
更に、連動リングとストロボ発光部との間に設けた二つの回転レバーと弾性部材とによって、ストロボ発光部の不用意な移動を吸収することができるので、カメラが破損することはない。
【００６７】
また、駆動源に対するストロボ発光部の連動と、発光位置での位置決めと、ストロボ発光部の位置検出とを一つの連動突起で行なうようにしたので、ストロボ発光部の移動スペースを小さくし、かつ連動精度と位置決め精度と検出精度とを向上させることができる。
【図面の簡単な説明】
【図１】本発明を実施したカメラの外観形状を示す斜視図である。
【図２】本体基部及び前カバー及びスライドカバーの構成を示す分解斜視図である。
【図３】ストッパーの構成を示す分解斜視図である。
【図４】スライドカバーが撮影位置にある際のストッパー近傍の状態を示す要部断面図である。
【図５】スライドカバーが不使用位置にスライドされる際のストッパー近傍の状態を示す要部断面図である。
【図６】図４のＡ−Ａ断面図である。
【図７】スライドカバーをロックしている際のストッパー近傍の状態を示す要部断面図である。
【図８】図７のＣ−Ｃ断面図である。
【図９】図５のＢ−Ｂ断面図である。
【図１０】本体基部に取り付けられる部品の一部を示す分解斜視図である。
【図１１】非撮影時のリングギヤから発光ユニットまでの構成部品の状態を示す説明図である。
【図１２】スライドカバーの開放直後及び閉鎖直前のリングギヤから発光ユニットまでの構成部品の状態を示す説明図である。
【図１３】撮影時のリングギヤから発光ユニットまでの構成部品の状態を示す説明図である。
【図１４】収納位置にあるストロボ発光部の状態を示す斜視図である。
【図１５】発光位置にあるストロボ発光部の状態を示す斜視図である。
【符号の説明】
２  カメラ
４  本体基部
５  前カバー
９  レンズ鏡筒
１２  ストロボ発光部
１９  スライドカバー
２２  電源スイッチ
２３  スイッチレバー
２４  ストッパー
３０  ストッパー本体
３７  モータ
３４  ロック片
３９  リングギヤ
４０  連動リング
４２  正面回転レバー
４３  上面回転レバー
４４  リンクバネ
４６  ストロボ地板
４７  検出スイッチ
４８  発光ユニット
【図１】
0003703462.tif 000002
【図２】
0003703462.tif 000003
【図３】
0003703462.tif 000004
【図４】
0003703462.tif 000005
【図５】
0003703462.tif 000006
【図６】
0003703462.tif 000007
【図７】
0003703462.tif 000008
【図８】
0003703462.tif 000009
【図９】
0003703462.tif 000010
【図１０】
0003703462.tif 000011
【図１１】
0003703462.tif 000012
【図１２】
0003703462.tif 000013
【図１３】
0003703462.tif 000014
【図１４】
0003703462.tif 000015
【図１５】
0003703462.tif 000016